(57)【特許請求の範囲】
【請求項１】
無線デバイス（１）が動作している動作中のセルラネットワーク（３）とのパケット交換通信を介した音声サービスを提供する前記無線デバイスのための方法であって、
前記無線デバイスは識別ユニット（５）に物理的に接続されており、前記識別ユニットは、第１のセルラネットワーク（８）内の前記音声サービスのための少なくとも１つの設定パラメータセットを格納するための第１のメモリブロックを備え、前記識別ユニットに準拠する前記第１のセルラネットワーク（８）は、前記動作中のセルラネットワーク（３）と呼ばれる訪問先セルラネットワークとは異なるセルラネットワークであり、
さらに前記無線デバイスは、前記訪問先セルラネットワークのベースノード（２）にキャンプオンしており、
前記方法は、
−音声通話を設定するのに先立って、前記訪問先セルラネットワークに適用可能な設定パラメータセットが利用可能かどうかを前記識別ユニットに確認し、
−利用可能でない場合に、ルーティング情報を用いて前記訪問先セルラネットワークがアクセス可能なパラメータサーバ（７）に前記設定パラメータを要求し、
−前記パラメータサーバから前記設定パラメータを受信し、
−受信した設定パラメータの少なくとも一部を前記識別ユニットの第２のメモリブロックに格納し、
−前記設定パラメータが利用可能である、又は前記パラメータサーバから既に受信されている場合に、
−前記設定パラメータを前記無線デバイスに適用し、
−前記設定パラメータを使用して音声通話を設定する、
前記無線デバイスのためのステップを含む方法。
【請求項２】
前記パラメータサーバ（７）は、前記訪問先セルラネットワークの一部である設定サーバであり、
−前記第１のセルラネットワークから前記訪問先セルラネットワークの前記設定サーバの前記ルーティング情報を取得するステップをさらに含む、請求項１に記載の方法。
【請求項３】
前記パラメータサーバは遠隔設定サーバ（１２）であり、前記遠隔設定サーバに関連する前記ルーティング情報は前記識別ユニットに格納される、請求項１に記載の方法。
【請求項４】
前記パラメータサーバ（７）に関連する前記ルーティング情報は、
−アクセスポイント名、
−統一資源識別子、
−ルーティング情報に解決するように構成された、前記動作中のセルラネットワーク（３）の一部であるネームサーバに提出されるように適合された識別トークン、
のうちの少なくとも１つを含む、請求項２又は３に記載の方法。
【請求項５】
前記設定パラメータを受信するステップは、格納されている設定パラメータと前記セルラネットワークのために要求した設定パラメータの差を示すパラメータデータを受信することを含む、請求項１乃至４の少なくとも一項に記載の方法。
【請求項６】
前記設定パラメータを要求するステップは、タイムトリガの満了に応答して実行される、請求項１乃至５の少なくとも一項に記載の方法。
【請求項７】
前記設定パラメータを要求している間に、ある設定パラメータセットに一意なバージョンインジケータを前記パラメータサーバ（７）に提出し、
前記パラメータサーバは、前記バージョンインジケータが前記パラメータサーバで入手可能な前記設定パラメータより前のバージョンを示す場合に、前記設定パラメータを提出する、請求項１乃至６の少なくとも一項に記載の方法。
【請求項８】
動作中のセルラネットワーク（３）のベースノード（２）にキャンプオンすることによって、前記セルラネットワークで動作する無線デバイス（１）であって、前記無線デバイスは、セルラネットワークとのパケット交換通信を介した音声サービスを提供するように構成され、さらに識別ユニット（５）に物理的に接続されており、前記識別ユニットは、第１のセルラネットワーク（８）内の前記音声サービスのための少なくとも１つの設定パラメータセットを格納するための第１のメモリブロックを備え、前記識別ユニットに準拠する前記第１のセルラネットワーク（８）は、前記動作中のセルラネットワーク（３）と呼ばれる訪問先セルラネットワークとは異なるセルラネットワークであり、
前記無線デバイスはさらに、音声通話を設定するのに先立って、前記訪問先セルラネットワークに適用可能な設定パラメータセットが利用可能かどうかを前記識別ユニットに確認し、
−使用可能でない場合に、ルーティング情報を用いて前記訪問先セルラネットワークがアクセス可能なパラメータサーバ（７）に前記設定パラメータを要求し、
−前記パラメータサーバから前記設定パラメータを受信し、
−受信した設定パラメータの少なくとも一部を前記識別ユニットの第２のメモリブロックに格納し、
−前記設定パラメータが利用可能である、又は前記パラメータサーバから既に受信されている場合に、
−前記設定パラメータを前記無線デバイスに適用し、
−前記設定パラメータを使用して音声通話を設定する、
ように構成される無線デバイス（１）。
【請求項９】
前記パラメータサーバ（７）は、前記訪問先セルラネットワークの一部である設定サーバであり、
前記無線デバイスはさらに、
−前記第１のセルラネットワークから前記訪問先セルラネットワークの前記設定サーバのアクセスポイント名を含む前記ルーティング情報を取得するように構成される請求項８に記載の無線デバイス（１）。
【請求項１０】
前記パラメータサーバは遠隔設定サーバであり、前記遠隔設定サーバ（１２）に関連する前記ルーティング情報は前記識別ユニットに格納される請求項８に記載の無線デバイス（１）。
【請求項１１】
前記パラメータサーバ（７）に関連する前記ルーティング情報は、
−アクセスポイント名、
−統一資源識別子、
−前記無線デバイスがさらに、ルーティング情報に解決するために、前記動作中のセルラネットワークの一部であるネームサーバに提出するように構成された識別トークン、
のうちの少なくとも１つを含む、請求項９又は１０に記載の無線デバイス（１）。
【請求項１２】
前記設定パラメータを要求することに応答して、格納されている設定パラメータと前記セルラネットワークのために要求した設定パラメータの差を示すパラメータデータを受信し、前記設定パラメータを格納するのに先立って、前記受信したパラメータデータ及び前記格納されている設定パラメータから前記要求した設定パラメータを取得するようにさらに構成される、請求項８乃至１１の少なくとも一項に記載の無線デバイス（１）。
【請求項１３】
前記設定パラメータを求める前記要求と共に、ある設定パラメータセットに一意なバージョンインジケータを前記パラメータサーバ（７）に提出するようにさらに構成される、請求項８乃至１２の少なくとも一項に記載の無線デバイス（１）。
【発明の詳細な説明】
【技術分野】
【０００１】
本発明は、無線デバイスを設定する方法に関する。本発明は、前記方法を用いる無線デバイスにも関する。本発明はさらに、前記方法をサポートするパラメータサーバに関する。
【背景技術】
【０００２】
第４世代セルラ無線通信の分野において初めて、ＩＰパケットに基づいた音声通信サービスを技術標準自体に組み込んだ技術が記述されている。この技術は、ボイスオーバーＬＴＥ、又は略してＶｏＬＴＥと呼ばれる。現在最初のネットワークオペレータがＬＴＥネットワークでこの機能を実施している。次世代の技術標準では、類似の解決策も想定されると予想される。
【０００３】
このようにＶｏＬＴＥ標準技術が標準化される一方、ＶｏＬＴＥを使用するための種々の設定パラメータは、登録オペレータに固有である。このような設定パラメータは、特にいくつかの設定の１つの可能性のあるセットとしてＧＳＭＡ ＩＲ．９２で定義されている。これらは限定的ではないが、サービス品質、ＵＲＩ、タイマ、コーデック、音声品質オプションなどを含む種々の領域、及びＶｏＬＴＥに準拠するＩＭＳ（ＩＰマルチメディアサブシステム）サービスのための設定パラメータを含む。
【０００４】
典型的にオペレータブランドで販売されている携帯電話機の場合、出荷前に事前設定を行うことは簡単である。
【０００５】
接続機能を提供する自動車などのマシンタイプ通信（ＭＴＣ）デバイスの場合、このような事前設定は不可能である。顧客は、地元の自動車販売業者又は前のオーナーから自動車を入手する場合、自分のＳＩＭカードをその自動車に取り付ける、又はＳＩＭアクセスプロファイルを介して自動車と携帯電話とをペアにするため、このような場合は事前設定が不可能である。同じことは、別のセルラネットワークでローミングする無線デバイスにも言える。さらに、ＳＩＭカードと一緒に出荷されたホームセルラネットワーク用の事前設定は、しばらくして古くなる可能性がある。
【０００６】
起こり得る最悪の場合、この状況は、設定パラメータが適切に設定されない場合、無線デバイスがセルラネットワークでＶｏＬＴＥを動作させることができない、又は少なくとも確実に動作させることができないという結果につながる。現在、ＶｏＬＴＥが特定のセルラネットワーク内で動作不可能になるという悪い顧客体験を軽減する既知の解決策はない。
【発明の概要】
【発明が解決しようとする課題】
【０００７】
したがって、本発明の目的は、上述の欠点を克服すること、及び無線デバイスの実行時におけるＶｏＬＴＥパラメータの事前設定に関する解決策を提供することである。
【０００８】
したがって、さらなる代替的かつ有利な解決策が当該技術分野で望ましいであろう。
【課題を解決するための手段】
【０００９】
このため、本発明の第１の態様によれば、請求項１に記載の無線デバイスを動作させる方法が提案される。さらに、本発明の第２の態様によれば、請求項９に記載の無線デバイスが提案される。本発明の第３の態様では、請求項１５に記載のパラメータサーバが提案される。
【００１０】
本発明の第１の態様によれば、無線デバイスが動作している動作中のセルラネットワークとのパケット交換通信を介した音声サービスを提供する、無線デバイスのための方法であって、無線デバイスは識別ユニット（ＵＩＣＣ）に物理的に接続されており、前記識別ユニットは、第１のセルラネットワーク内の前記音声サービスのための少なくとも１つの設定パラメータセットを格納するための第１のメモリブロックを備え、さらに無線デバイスは、動作中のセルラネットワークのベースノード（ｅＮｏｄｅＢ）とキャンプ関係にあり、方法は、
−音声通話を設定するのに先立って、動作中のセルラネットワークに適用可能な設定パラメータが利用可能かどうかを識別ユニットに確認し、
−利用可能でない場合に、動作中のセルラネットワークがアクセス可能なパラメータサーバに前記設定パラメータを要求し、
−前記パラメータサーバから前記設定パラメータを受信し、
−受信した設定パラメータの少なくとも一部を識別ユニットの前記第１のメモリブロックに格納し、
−設定パラメータが利用可能である、又はパラメータサーバから既に受信されている場合に、
−前記設定パラメータを無線デバイスに提供し、
−前記設定パラメータを使用して音声通話を設定する、無線デバイスのためのステップを含む方法が提案される。
【００１１】
方法は、パケット交換通信を介した音声サービスを提供するセルラネットワークで動作するように構成された無線デバイスに適用される。これは特に、ロングタームエボリューション（ＬＴＥ）又は第４世代（４Ｇ）の技術標準をサポートするセルラネットワークにおけるボイスオーバーＬＴＥ（ＶｏＬＴＥ）に当てはまる。
【００１２】
これまでＬＴＥ以前のセルラネットワークにおけるネイティブな音声サービスは、回線交換（ＣＳ）ドメインで動作していた。一方、パケット交換（ＰＳ）ドメインは、データ伝送、例えばウェブサイトへのアクセス、データのダウンロードなどに特化している。ＶｏＬＴＥの仕様及び実施に先立って、インターネットを利用した音声サービスが、インターネットに接続した通常のコンピュータ上のものとして定義されている。しかし、それらのサービスは、各通信デバイスに特別なソフトウェアを必要とし、各デバイスは、無線デバイスに接続された識別ユニット、特にＵＩＣＣに接続されたＭＳＩＳＤＮと異なる１つの識別子を有していた。
【００１３】
したがって、４Ｇセルラネットワークの一部であって、ＭＳＩＳＤＮ下で通話可能なサービスが望まれていた。しかし、類似のサービスは次世代の技術標準で定義されるだろう。本発明の方法は一般に、それらのサービスにも適用されることが想定される。
【００１４】
ＶｏＬＴＥは、ＩＰマルチメディアサブシステム（ＩＭＳ）に基づいており、したがって、提案される方法は、一般にＶｏＬＴＥ、プレゼンス／ロケーションサービス、ビデオ電話、ＳＭＳオーバーＩＭＳ、ＵＳＳＤ、及びＩＭＳが提供する任意の他のサービスを含むＩＭＳ設定データセットの全体にも適用される。以下ＶｏＬＴＥはＩＭＳサービスの一例として使用される。
【００１５】
ＶｏＬＴＥサービスを実行するために、無線デバイスは、音声通話を動作させるのに必要な手順を、無線デバイスが現在キャンプオンしているセルラネットワークのベースノードであるサービングｅＮｏｄｅＢと共に実施するコンポーネント、特にソフトウェアモジュールを備えることが好ましい。
【００１６】
このコンポーネントは、以後ＶｏＬＴＥクライアントと呼ばれるが、次世代技術標準の音声サービスに対する適用可能性の点での限定を意味しない。
【００１７】
無線デバイスはさらに識別ユニットと接続される。このような識別ユニットは、特に、好ましくはセルラネットワークにおいて識別及び認証を行うための認証情報を安全な方法で保持するために独創的に設計された取り外し可能なモジュールである。典型的には、そのような識別ユニットは、汎用集積回路カード（ＵＩＣＣ）によって具体化される。識別ユニットはさらに、少なくとも１つの設定パラメータセットを格納するための第１のメモリブロックを備える。好ましくは、識別ユニットはさらに、無線デバイスがそのような第１のメモリブロックにデータを要求するための交換インターフェースを提供する。さらに、識別ユニット、特にマシンタイプの識別モジュール（ＭＩＭ）又は埋設ＳＩＭ（ｅＳＩＭ、すなわちｅＵＩＣＣ）の他の実施形態も想定される。
【００１８】
前記音声サービスのための設定パラメータは、無線デバイス、特にＶｏＬＴＥクライアントがどのように動作しているかを定義し、かつサービングｅＮｏｄｅＢ及び／又は被呼デバイスや発呼デバイスとの相互運用性を保証するようなパラメータである。
【００１９】
好適な実施形態では、第１のメモリブロックは設定パラメータセットを直接格納する。別の好適な実施形態では、空間を節約するために、デフォルトの設定パラメータセットとの差だけが格納される。
【００２０】
本方法は、無線デバイスがセルラネットワークのベースノードにキャンプオンしたとき、特に無線デバイスがセルラネットワークに登録した後に、無線デバイスが現在動作している動作中のセルラネットワークにおいてパケット交換通信を介した音声サービスを動作させるように無線デバイスが調整されているかどうかを考慮することから始まる。
【００２１】
そのため、前記音声サービスを介した第１の音声通話よりも前の時点で、動作中のセルラネットワークに適用可能な適切な設定パラメータが利用可能かどうかを識別ユニットに確認する。これは、設定パラメータが識別ユニットの第１のメモリブロックに格納されている場合に無線デバイスから交換インターフェースを介して識別ユニットに要求を送信することによって行うことが好ましい。
【００２２】
本発明の別の有利な実施形態の一部として、設定パラメータの一部、特にパラメータサーバに関連するリファレンス、バージョン又はルーティング情報のみが識別ユニットの第１のメモリブロックに格納され、設定パラメータの他の部分は無線デバイス自体のメモリブロックに格納又はキャッシュされることがさらに想定される。
【００２３】
一般に、最初の音声通話に先立って、設定パラメータに関する３つの状況、すなわち設定パラメータが格納されないこと、適切でない設定パラメータが格納されること、及び適切な設定パラメータが格納されることが発生する可能性がある。
【００２４】
設定パラメータが格納される場合、設定パラメータが適切かどうかを判別することは、特に、少なくとも設定パラメータが例えば別のオペレータの別のセルラネットワークに割り当てられているかどうかをチェックすること、又は設定パラメータが古くなっているかどうかをチェックすることによりなされる。
【００２５】
設定パラメータが欠けている状況は、音声サービスを動作させるために無条件に設定パラメータを取得する必要があることを意味する。
【００２６】
したがって、格納されている設定パラメータが古くなっていない場合を除き、ＶｏＬＴＥクライアントを動作中のセルラネットワークで動作させるために、適切かつ最新の設定パラメータを取得することが必要である。
【００２７】
そのため、無線デバイスは、パラメータサーバに前記設定パラメータを要求する。前記パラメータサーバは、動作中のセルラネットワークによりアクセス可能である。これは特に、セルラネットワークの一部であるか、ベースノード及び進化したパケットコア（ＥＰＣ）のような別のセルラネットワーク固有のコンポーネントを介した無線デバイスからのアクセスを可能にするセルラネットワークのコンポーネントに接続されることを意味する。
【００２８】
無線デバイスがそのホームセルラネットワークで動作している場合は、パラメータサーバは、セルラネットワークリソースによってアクセスされることが好ましい。つまり、モビリティ管理エンティティによってパラメータサーバに要求が転送される。そこからパラメータサーバは、要求された設定データを提供する。これは特に、設定パラメータが最新であるかどうかをチェックするために、ホームセルラネットワークのための設定パラメータセットが既に利用可能な場合でも好ましい。
【００２９】
パラメータサーバへの前記要求に応じて、無線デバイスは、要求したデータが利用可能な場合に、要求した設定パラメータを受信する。好ましくは、データ受信後の第１のステップとして設定パラメータは第１のメモリブロックに格納される。これは、無線デバイスが設定パラメータにアクセスする必要がある次の機会に、ＶｏＬＴＥクライアントにアクセスし、これを設定するために利用可能であるために好ましい。このステップは、ダウンロードしたばかりのデータを使用してＶｏＬＴＥクライアントを設定する前に実行されることが好ましい。
【００３０】
適切な設定パラメータが識別ユニットから利用可能な場合、又はこれらをダウンロードした後、これらの設定データは、無線デバイス、特にＶｏＬＴＥクライアントに適用される。これは特に、受信した設定パラメータ又は少なくともその一部は、ＶｏＬＴＥクライアントが利用可能であることを意味する。設定パラメータの適用が行われる方法は、一般に実施態様に固有である。好ましくは、ＶｏＬＴＥクライアントが読み出し可能な設定ファイルは、特に既存の設定ファイルに設定を追加することによって利用可能になる。典型的には、各設定データは、特定のシンタックス、例えばＸＭＬ、ＣＳＶ、ＪＳＯＮに続く設定ファイル中の鍵／値ペアによって利用可能になる。
【００３１】
次にＶｏＬＴＥクライアントは、特に再起動又は再初期化によって起動されて設定ファイルを再読み出しすることが好ましい。
【００３２】
この設定パラメータの適用後、無線デバイスは、サービングベースノードにより、好ましくは前記方法を実施する別の無線デバイス又は固定電話である、別の通信エンドポイントに対する着信又は発信音声通話を設定することができる。
【００３３】
無線デバイスがそのホームセルラネットワークで動作していない場合は、本発明の別の実施形態が提案される。
【００３４】
したがって、識別ユニットに準拠する第１のセルラネットワークは、動作中のセルラネットワークと呼ばれる訪問先セルラネットワークとは異なるセルラネットワークであり、
パラメータサーバは、訪問先セルラネットワークの一部である設定サーバであり、
−第１のセルラネットワークから訪問先セルラネットワークの前記設定サーバのルーティング情報を取得するステップをさらに含み、
−受信した設定パラメータを格納するステップは、少なくとも１つの追加のセルラネットワーク用に受信した設定パラメータの少なくとも一部を格納するための第２のメモリブロックにおいて実行される方法が提案される。
【００３５】
ここで、無線デバイスが動作しているセルラネットワークがホームセルラネットワークでなく、訪問先セルラネットワークである状況を説明する。
【００３６】
これは識別ユニットによって識別され、これは識別ユニットがホームネットワークを識別するデータ、特にＭＣＣ（Ｍｏｂｉｌｅ Ｃｏｕｎｔｒｙ Ｃｏｄｅ）及びＭＮＣ（Ｍｏｂｉｌｅ Ｎｅｔｗｏｒｋ Ｃｏｄｅ）を保持することを意味する。特に識別ユニットのＭＮＣが動作中のセルラネットワークのＭＮＣと異なる場合は、無線デバイスはローミングしており、したがって、動作中のセルラネットワークは訪問先セルラネットワークである。
【００３７】
この実施形態によれば、設定パラメータを格納するための、特にホームセルラネットワークと異なる訪問先セルラネットワーク用の設定パラメータを格納するための第２のメモリブロックが想定される。
【００３９】
無線デバイスと識別ユニットとの間の割当ては、特に設定パラメータの数に依存する。好ましくは、ネットワークオペレータが提供するこれらの情報は識別ユニットに格納され、したがって、識別ユニットに第２のメモリブロックを用意することも有利である。
【００４０】
好ましくは、識別ユニットは、複数の訪問先セルラネットワークのさらなる設定パラメータセットのためにさらなるメモリブロックを提供する。いずれにせよ、現在の訪問先セルラネットワーク用の設定パラメータをダウンロードする方法が必要である。
【００４１】
したがって、本発明の実施形態では、パラメータサーバは訪問先セルラネットワークの一部である設定サーバであることが提案される。しかし、無線デバイスはそのような設定サーバをアドレスする必要がある。そうするために、無線デバイスは、設定サーバにアクセスするためのルーティング情報をホームセルラネットワークに要求する。
【００４２】
別の好適な実施形態によれば、設定サーバに関連するルーティング情報は、
−アクセスポイント名、
−統一資源識別子、
−ルーティング情報に解決するように構成された、動作中のセルラネットワークの一部であるネームサーバに提出されるように適合された識別トークン、
のうちの少なくとも１つを含む。
【００４３】
この実施形態は、ルーティング情報の様々なインカネーションを提案する。アクセスポイント名（ＡＰＮ）は、典型的にはセルラネットワークのエンドポイントとして使用され、統一資源識別子は、ＵＲＬのような修飾名である。セルラネットワークにネームサーバが存在する場合、さらに識別トークン、例えばＵＲＩやＡＰＮのような各修飾識別子に解決される仮想アクセス名を使用することができる。
【００４４】
無線デバイスがそのホームセルラネットワークで動作していない場合は、本発明のさらに別の好適な実施形態が提案される。したがって、識別ユニットに準拠する第１のセルラネットワークは、前記動作中のセルラネットワークと異なり、パラメータサーバは遠隔設定サーバであり、遠隔設定サーバに関連するルーティング情報は識別ユニットに格納され、受信した設定パラメータを格納するステップは、少なくとも１つの追加のセルラネットワーク用に受信した設定パラメータの少なくとも一部を格納するための第２のメモリブロックにおいて実行されることをさらに含む方法が提案される。
【００４５】
この実施形態によれば、パラメータサーバは、訪問先セルラネットワークの外部にある遠隔設定サーバに位置し、好ましくはインターネット又は他の接続を介してアクセス可能である。
【００４６】
この設定サーバ、すなわちパラメータサーバにアクセスするには、好ましくはＵＲＩの形態のルーティング情報が必要とされる。この実施形態によれば、前記パラメータサーバにアクセスするためのルーティング情報は、識別ユニットに格納される。これは特に、識別ユニットは、例えば無線デバイスの所有者に手渡される前に、ホームセルラネットワークオペレータによって設定情報が与えられているために有利である。したがって、好ましくはセルラネットワークに固有でないパラメータサーバは、ほとんど全てのセルラネットワークからアクセス可能である。
【００４７】
ローミング中の無線デバイスのいかなる場合も、パラメータサーバから受信した設定パラメータは、最終的に第２のメモリブロックに格納される。したがって、無線デバイスが再び再起動する、又は別のセルラネットワーク、特にホームセルラネットワークで動作した期間の後、前記セルラネットワークに戻るときは、前記設定パラメータをダウンロードするステップは再度実行する必要がなく、ＶｏＬＴＥクライアントは、格納されている設定パラメータを使用して遅滞なく設定することができる。
【００４８】
本発明の別の好適な実施形態では、前記設定パラメータを受信するステップは、格納されている設定パラメータとセルラネットワークのために要求した設定パラメータの差を示すパラメータデータを受信することを含むことが提案される。
【００４９】
この実施形態によれば、ダウンロードされるデータ量は、識別ユニットに格納されているものと異なる設定パラメータだけが提供される限りにおいて減少する。多くの設定パラメータが多くのセルラネットワーク間で安定に保たれている、又は共通する場合があるため、この実施形態はダウンロードされるデータ量を大幅に減らす。
【００５０】
格納されている設定パラメータについて、これは、ホームセルラネットワークオペレータからデフォルトで事前設定されたデフォルトの設定パラメータセットに影響を及ぼす可能性もある。ここで実際の設定パラメータセットが要求される場合、デフォルトの設定パラメータセットは、セルラネットワーク、すなわちパラメータサーバに知られているため、異なるパラメータだけを提供すればよい。
【００５１】
また、第２のメモリブロックを使用できる場合、第１のメモリブロックに格納されている設定パラメータとの差だけを第２のメモリブロックに格納することが有利である。そうすることによって、第２のメモリブロックのメモリ空間が節約される。また、場合により２つ以上の設定パラメータセットが第２のメモリブロックに格納される。第２のメモリブロックに完全なデータを格納するのと比較すると、この好適な実施形態によれば、少なくともない場合よりも多くの設定パラメータセットを第２のメモリブロックに格納することが可能である。
【００５２】
これはさらに、格納されている設定パラメータセットに関するバージョン情報に言及する別の実施形態と関連して有利である。これによれば、前記設定パラメータを要求している間に、ある設定パラメータセットに一意なバージョンインジケータをパラメータサーバに提出し、パラメータサーバは、パラメータサーバで入手可能な設定パラメータより前のバージョンを前記バージョンインジケータが示す場合に前記設定パラメータを提出することが提案される。
【００５３】
この実施形態は、設定パラメータセットが、特に識別ユニット内のメモリブロックに格納されている場合に有利である。しかしこれは、必ずしも設定パラメータが適切であることを意味するものではない。したがって、無線デバイスは、設定パラメータが適切である、特に最新であるかどうかを判断するための指標を必要とする。そのため、設定パラメータと共にバージョンインジケータが格納される。
【００５４】
好ましくは、バージョンインジケータは、インクリメントするバージョン番号、タイムスタンプ、又はこれらの一方若しくは両方から得られるインジケータである。
【００５５】
この状況は、ローミングシナリオ及び非ローミングシナリオに適用可能である。
【００５６】
前記バージョンインジケータはパラメータサーバに提出される。このバージョンインジケータに基づいて、パラメータサーバは、パラメータサーバで入手可能な設定パラメータのバージョンインジケータと比較することによって、設定パラメータが最新であるかどうかを確認するように構成される。
【００５７】
好ましくは、新しい設定パラメータが入手可能かどうかを確認するためのパラメータサーバに対する要求が定義される。代替的に、最新の設定パラメータをダウンロードする要求において、メモリブロックに現在格納されている設定パラメータのバージョンインジケータが提出されることが想定される。バージョンが最新である場合、パラメータサーバからの応答は、ダウンロードは必要ない、すなわちバージョンインジケータはパラメータサーバに保持されている最新バージョンの１つと一致することだけを示す。そうでない場合、要求された設定パラメータがパラメータサーバから提供される。
【００５８】
パラメータサーバの最新の設定パラメータのバージョンが、特にパラメータサーバがセルラネットワークの外部にある場合に、パラメータサーバにアクセスすることなくセルラネットワークで入手可能である場合はさらに有利である。
【００５９】
バージョン番号は１つのパラメータが変化しただけで変化する。したがって、この状況では、格納されている設定パラメータセットのバージョン情報は、パラメータサーバに格納されている設定パラメータセットのバージョン情報と異なると判断される場合に更新が必要である。
【００６０】
そうするために、好ましくは、変化したパラメータだけを無線デバイスにダウンロードし、この変化したパラメータだけをＶｏＬＴＥクライアントに適用すればよい。
【００６１】
別の好適な実施形態では、前記設定パラメータを要求するステップは、タイムトリガの満了に応答して実行されることが提案される。
【００６２】
この実施形態は、特に長時間同じセルラネットワークで動作している無線デバイス、特にマシンツーマシンデバイスの場合に有利である。この実施形態によれば、本発明の方法及び／又はその実施形態は、登録時に実行されるが時間駆動でもある。特に、格納されているバージョンインジケータと関連して、無線デバイスは、設定パラメータに変化が生じたかどうかを判断するために、所定の時間後に別の要求をパラメータサーバ、すなわちセルラネットワークに送信する場合に有利である。
【００６３】
変化が生じていた場合は、設定パラメータセット、又は好ましくは設定パラメータの以前に使用されていたバージョンと比較した差を無線デバイスにダウンロードする。
【００６４】
さらに、セッションが動作しているとき、又はＶｏＬＴＥ／ＩＭＳサービスへの登録中に、セルラネットワークは、現在使用されている設定パラメータのバージョンが古くなっていることを無線デバイスに示すことができる。この場合、無線デバイスは、タイムトリガに関係なく更新動作を実行する。
【００６５】
この実施形態によって、無線デバイスが再起動されなくともＶｏＬＴＥを動作させるように正確に設定されることを手動での介入なく自動的に行うことが保証される。
【００６６】
本発明の第２の態様によれば、動作中のセルラネットワークのベースノードとのキャンプ関係によって、セルラネットワークで動作する無線デバイスであって、無線デバイスは、セルラネットワークとのパケット交換通信を介した音声サービスを提供するように構成され、さらに識別ユニットに物理的に接続されており、前記識別ユニットは、第１のセルラネットワーク内の前記音声サービスのための少なくとも１つの設定パラメータセットを格納するための第１のメモリブロックを備え、前記無線デバイスはさらに、音声通話を設定するのに先立って、動作中のセルラネットワークに適用可能な設定パラメータが利用可能かどうかを識別ユニットに確認し、
−利用可能でない場合に、動作中のセルラネットワークがアクセス可能なパラメータサーバに前記設定パラメータを要求し、
−前記パラメータサーバから前記設定パラメータを受信し、
−受信した設定パラメータの少なくとも一部を識別ユニットの前記第１のメモリブロックに格納し、
−設定パラメータが利用可能である、又はパラメータサーバから既に受信されている場合に、
−前記設定パラメータを無線デバイスに適用し、
−前記設定パラメータを使用して音声通話を設定する、
ように構成される無線デバイスが提案される。
【００６７】
本発明のこの態様は、本発明の第１の態様の利点を共有する。
【００６８】
本発明の第３の態様では、アクセス可能なセルラネットワークにおいてパケット交換通信を介した音声サービスのための設定パラメータを提供するパラメータサーバであって、セルラネットワークで動作している無線デバイスから、ある設定パラメータセットに一意なバージョンインジケータを含む要求を受信し、前記受信したバージョンインジケータを、パラメータサーバがアクセス可能な格納されている設定パラメータセットに割り当てられたバージョンインジケータと比較し、受信したバージョンインジケータが、格納されている設定パラメータのバージョンインジケータより前のバージョンを示した場合に、要求している無線デバイスに前記設定パラメータセットを提出するようにさらに構成されるパラメータサーバが提案される。
【００６９】
本発明のこの態様に係るパラメータサーバは、セルラネットワーク内に位置しているか、少なくとも１つのセルラネットワークによりアクセス可能である。パラメータサーバは、少なくとも１つのセルラネットワークにおけるパケット交換通信を介した音声サービスのための設定パラメータを格納するように構成される。
【００７０】
無線デバイスからの要求は、パラメータサーバに提出されるとき、無線デバイスに格納されている設定パラメータのバージョンを示すバージョンインジケータを少なくとも含む。
【００７１】
パラメータサーバがセルラネットワークの外部に位置する場合、要求は、要求している無線デバイスが現在動作しているセルラネットワークに関連する表示も含むことが好ましい。
【００７２】
パラメータサーバに別のバージョンインジケータが保持される。セルラネットワークの設定パラメータへの変更が行われるときはいつでも、バージョンインジケータは変更される、特にインクリメントされる。
【００７３】
したがって、無線デバイスから受信したバージョンインジケータを使用して、パラメータサーバはまず、バージョンインジケータが異なるかどうかを判断することができる。有利には、特に設定パラメータの旧バージョンが保持されている場合に、設定パラメータのどの変化が欠けているかを把握することもできる。
【００７４】
これによって、パラメータサーバは、完全な設定パラメータセット、又は少なくとも要求している無線デバイスの識別ユニットに格納されている設定パラメータと最新の設定パラメータの差を提出することができる。好ましくは、無線デバイスは、要求と共に、完全な設定パラメータセット又は差だけを処理できることを示す。
【００７５】
提出されたバージョンインジケータと、格納されている設定パラメータセットに割り当てられたバージョンインジケータに違いが見られない場合は、パラメータサーバは、設定パラメータの更新が必要ないことを示す応答を送信することが好ましい。
【００７６】
バージョンインジケータが提出されない場合、いずれの場合も、設定パラメータは、無線デバイスに要求を提出する際に、無線デバイスが動作しているセルラネットワークに提供される。
【００７７】
このように、本発明は、有利にはセルラネットワークにおいてパケット交換通信を介した音声サービス、特にボイスオーバーＬＴＥで動作する無線デバイスを適切に設定するという示された問題を解決する。
【図面の簡単な説明】
【００７８】
以下の説明及び添付図面は幾つかの例示的な態様を詳細に示しているが、実施形態の原理を使用することができる種々の方法のうちのほんの一部を示しているにすぎない。本発明の特徴及び利点は、限定的ではなく例示的な例として与えられる有利な実施形態の以下の説明及び添付図面を読む時に現れるだろう。
【００７９】
【図１】本発明が適用されるタイプの無線デバイスを第１の実施形態としてセルラネットワークとの関連で示す。
【図２】本発明が適用されるタイプの無線デバイスを第２の実施形態としてホームセルラネットワークに接続された訪問先セルラネットワークとの関連で示す。
【図３】本発明が適用されるタイプの無線デバイスを第３の実施形態としてセルラネットワーク及びパラメータサーバとの関連で示す。
【図４】本発明の別の好適な実施形態による無線デバイスを初期化するステップをシーケンス線図で示す。
【図５】本発明の別の好適な実施形態を示すフローチャートを示す。
【発明を実施するための形態】
【００８０】
図１は、本発明が適用されるタイプの無線デバイス１をある実施形態として模式的に示す。無線デバイス１は、セルラネットワーク３のベースノード２とキャンプ関係で動作しており、ベースノードはサービングベースノードと呼ばれる。無線デバイスは、パケット交換通信を介した音声サービスを提供するように構成されたデバイスである。つまり、２Ｇ又は３Ｇと同じように、回線交換ドメインは不要であるが、音声は無線デバイスとセルラネットワークの間をＩＰパケットとして運ばれ、典型的にはその音声接続を有するデバイスが最終的に設定される。
【００８１】
ＬＴＥ、すなわち４Ｇネットワークでは、このような音声サービスは、既にボイスオーバーＬＴＥ（ＶｏＬＴＥ）という用語で定義され、知られている。以下では、セルラネットワーク３はＬＴＥネットワークであり、したがって、音声サービスはＶｏＬＴＥであると仮定される。
【００８２】
無線デバイス１はさらに、コンポーネント、特にサービングベースノード２のセルラネットワークとのＶｏＬＴＥ通話を設定及び処理するための手順を実施するソフトウェアモジュールであるＶｏＬＴＥクライアントを備える。ＬＴＥでは、ベースノードはｅＮｏｄｅＢ（ｅＮＢ）と呼ばれる。
【００８３】
無線デバイス１はさらに、識別ユニット５を備える。このような識別ユニットは、特に、各セルラネットワークにおける認証のための認証情報を保持する加入者識別モジュール（ＳＩＭ）、すなわち汎用集積回路カード（ＵＩＣＣ）である。
【００８４】
識別ユニットはさらに、以下でＶｏＬＴＥパラメータと呼ばれる、音声サービスのための少なくとも１つの設定パラメータセットを格納するためのメモリブロックを備える。
【００８５】
そのようなＶｏＬＴＥパラメータは特に、コーデック、フレーム／ビットレートなどのコーデック関連設定、さらにタイマ、特にリトライタイマ、サービス品質設定、アドレス／ＡＰＮ、アプリケーションＩＤなどに関連する情報を含む。プレゼンス／ロケーションベースのサービス、ビデオ電話、ＩＭＳ／ＳＧＳＮを介したＳＭＳなどの他のＩＭＳサービスに適用されるさらなるパラメータが前記設定パラメータセット内に格納されることも想定される。これらのサービスにも提案される発明は適用可能である。
【００８６】
通常、無線デバイスがホームセルラネットワーク、すなわちホーム公衆陸上移動体ネットワーク（ＨＰＬＭＮ）内で動作している場合、識別ユニット５は、利用可能な全てのＶｏＬＴＥパラメータを有する必要がある。したがって、無線デバイス１は、初期化ルーチンによって、好ましくは起動時にＶｏＬＴＥ通話を開始する又は受け付けることができ、無線デバイス、すなわちＶｏＬＴＥクライアントは、識別ユニット５に各ＶｏＬＴＥパラメータを要求し、ひいては着信又は発信するＶｏＬＴＥ通話のためにＶｏＬＴＥクライアントを設定する。
【００８７】
しかし、本発明のこの実施形態は、識別ユニット５がＶｏＬＴＥパラメータのセット又は最新のＶｏＬＴＥパラメータのセットを格納していない状況のために設計される。この特定は典型的には初期化ルーチンの間に行われる。この初期化ルーチンの一部は特に、セルラネットワークに各要求を送出することによってセルラネットワーク３におけるＶｏＬＴＥパラメータの現在のバージョンを特定し、この要求に応じて受信したバージョンインジケータを識別ユニット５に格納されているＶｏＬＴＥパラメータセットのバージョンインジケータと比較することである。
【００８８】
無線デバイス１は、動作中のセルラネットワークにおいて最新のＶｏＬＴＥパラメータのセットが必要であることを認識するとき、サービングｅＮｏｄｅＢ２を介して欠けているＶｏＬＴＥパラメータをセルラネットワークに要求する。この要求は、セルラネットワーク３内のパラメータサーバ７に送られる。典型的には、要求は、特にモビリティ管理エンティティ（ＭＭＥ）、サービングゲートウェイ（Ｓ−ＧＷ）及びパケットデータネットワークゲートウェイ（Ｐ−ＧＷ）を含む進化したパケットコア（ＥＰＣ）４で処理される。
【００８９】
好ましくは、ＶｏＬＴＥパラメータを格納しているパラメータサーバ７は、ホーム加入者サーバ（ＨＳＳ）６と共に配置される。好ましくは、ＶｏＬＴＥパラメータ要求は、ＭＭＥを介してパラメータサーバ７に転送される。
【００９０】
最終的に、各ＶｏＬＴＥパラメータセットがパラメータサーバ７で特定されると、要求している無線通信デバイス１に転送される。無線デバイスは、受信したＶｏＬＴＥパラメータを識別ユニット５に格納し、受信したＶｏＬＴＥパラメータを使用してＶｏＬＴＥクライアントを設定する。
【００９１】
最終的に無線デバイスは、現在動作しているセルラネットワーク内でＶｏＬＴＥ通話を実行する形態となる。
【００９２】
無線デバイスがセルラネットワークからＶｏＬＴＥパラメータを受信することができず、特に、動作に利用可能な又は必要なデフォルトパラメータセットがない場合は、無線デバイスは、好ましくは回線交換フォールバック（ＣＳＦＢ）に切り替わり、ＬＴＥでもこの表現が使用可能な伝統的な音声操作アプローチを使用する。
【００９３】
示されている実施形態は、無線デバイスがホームセルラネットワークで、好ましくは事前設定された識別ユニット５と共に動作している状況のみをカバーする。
【００９４】
この実施形態は、ホームセルラネットワークでなく、訪問先セルラネットワークであるセルラネットワーク３と共に動作する無線デバイス１に有効でない。ホームセルラネットワークは、識別ユニット５を提供する、すなわちプロビジョニングするセルラネットワークである。これは特にＭＣＣ及びＭＮＣによって特定される。この場合、無線デバイスは、訪問先セルラネットワークのホーム加入者サーバにアクセスすることができない。
【００９５】
したがって、図２に示すように、無線デバイスに訪問先セルラネットワークのパラメータサーバ７に関連したルーティング情報を提供することが必要である。
【００９６】
そうするために、無線デバイスからのそのようなルーティング情報要求は、訪問先セルラネットワークで、好ましくは訪問先ロケーションレジスタ（ＶＬＲ）１０を介して、すなわちＩＣＳＣＦ（問合せ呼状態制御機能）又はＩＢＣＦ（相互接続ボーダー制御機能）を介して選択されたアーキテクチャに応じて処理される。そこからホームセルラネットワーク８にアクセスし、特にＨＳＳと共に配置されたホーム設定サーバ９がルーティング情報を提供し、続いてルーティング情報は無線デバイスに送信される。
【００９７】
これらのルーティング情報によって、無線デバイス１は、この段階で最新のＶｏＬＴＥパラメータを求める要求を訪問先セルラネットワーク３のローカルパラメータサーバ７にルーティングするのに必要な全てのものを有している。
【００９８】
好ましくは、識別ユニット又は無線デバイス自体は、ホームセルラネットワーク８と異なるセルラネットワーク用のＶｏＬＴＥパラメータを格納するための少なくとも第２のメモリブロックを備える。好ましくは、第２のメモリブロックは、第１のメモリブロックに保持されているＶｏＬＴＥパラメータとの差だけを保持する。
【００９９】
図３に示す別の好適な実施形態では、パラメータサーバ７は、セルラネットワークの一部ではなくその外部に位置しているが、セルラネットワークによりアクセス可能である。好ましくは、パラメータサーバ７は、パケットデータネットワークゲートウェイ１１を介して、事実上世界中の全てのセルラネットワークからアクセス可能なインターネット上にある。パラメータサーバは、特に遠隔設定サーバ１２の一部である。
【０１００】
したがって、無線デバイスがホームセルラネットワークで動作しているか、訪問先セルラネットワークで動作しているかは関係がない。重要なのは、パラメータサーバ７にアクセスためのルーティング情報が無線デバイスの場所で入手できることだけである。
【０１０１】
そのため、好ましくは、特にユニフォームリソース識別子（ＵＲＩ）を用いたルーティング情報は、識別ユニット５内に格納される。
【０１０２】
別の好適な実施形態では、識別ユニットに仮想アクセス名などの識別トークンが格納される。これによって、無線デバイスが動作しているセルラネットワークが、ネームサーバを提供することが求められる。ネームサーバは、識別トークン、すなわちＵＲＩに対する仮想アクセス名を解決するように構成されるため、パラメータサーバ７は、解決されたＵＲＩを使用したセルラネットワークを通じたアクセスが可能である。
【０１０３】
最適化の問題として、特に各場合に要求されたＶｏＬＴＥパラメータの全体ではなく、以前の、すなわち格納されているＶｏＬＴＥパラメータのバージョンとの差だけがダウンロードされることが別の好適な実施形態として想定される。
【０１０４】
訪問先セルラネットワークのＶｏＬＴＥパラメータのための少なくとも１つの第２のメモリブロックを備える識別ユニットにも同じことがいえる。
【０１０５】
図４は、本発明の別の好適な実施形態における、ＬＴＥセルラネットワーク内でＶｏＬＴＥ通話を実行できるようにＶｏＬＴＥクライアントを設定するために無線デバイスを初期化するステップをシーケンス線図で示す。
【０１０６】
無線デバイス１は、ベースノード２、特にセルラネットワーク３のｅＮｏｄｅＢと共に動作している。さらに、無線デバイス１は識別ユニット５を備えている。
【０１０７】
この例示的な実施形態では、手順はメッセージＭ１を使用して無線デバイスを登録することから始まる。つまりその一環として、無線デバイス１はベースノード２にキャンプオンしている。このメッセージは、特に無線デバイスの能力に関する情報などを含む。
【０１０８】
その後、無線デバイス１は、識別ユニット５に送信するメッセージＭ２を使用して、現在の訪問先（ホームを含む）セルラネットワーク用のＶｏＬＴＥパラメータが識別ユニットに格納されているかどうかをチェックする。この実施形態では、ＶｏＬＴＥパラメータがバージョンインジケータを伴って格納されているため、識別ユニットは、応答メッセージＭ３を使用して、この情報及びバージョンインジケータを無線デバイスに示す。
【０１０９】
このメッセージの一部として、ルーティング情報、特にパラメータサーバ７のアクセスポイント名（ＡＰＮ）がさらに提供される。
【０１１０】
ＶｏＬＴＥパラメータが最新でありかつ使用可能であるかどうかを判断するために、無線デバイスは、メッセージＭ４を使用して、格納されているＶｏＬＴＥパラメータセットが最新であるかどうかをチェックする要求をベースノード２に送信する。好ましくは、ベースノードは、この情報をＥ−ＵＴＲＡＮ又はＥＰＣにおいて利用可能にすることを、提出されたバージョンインジケータをパラメータサーバで入手可能な現在の最新のＶｏＬＴＥパラメータのバージョンインジケータと比較することによって行う。それ以外は、ＡＰＮで示されるパラメータサーバ７への要求が必要である。この場合、このベースノードへの要求と共に、ＡＰＮを提出することも必要になる。好ましくは、この動作はパラメータサーバ７に対するＶｏＬＴＥパラメータ要求と結合され、そしてここでバージョンインジケータの比較が行われる。
【０１１１】
要求Ｍ４が、ＶｏＬＴＥパラメータの現在のバージョンは最新でないという結果を有する場合、次のステップを実行する必要がある。そうでない場合は、メッセージＭ１０に直接ジャンプすることが可能である。
【０１１２】
このように、無線デバイスは最新のＶｏＬＴＥパラメータを取得する必要がある。そのため、無線デバイス１は、パラメータサーバをアドレス指定し、現在の訪問先セルラネットワーク用の最新のＶｏＬＴＥパラメータセットを要求する要求Ｍ５をベースノード２に送信するように構成される。好ましくは、この要求は現在のバージョン番号及びＡＰＮを含む。
【０１１３】
ベースノード２、すなわちＥＰＣのコンポーネントにおいて、この要求は処理され、提出されたＡＰＮで特定されるパラメータサーバ７に送られる。これはパラメータサーバ７へのメッセージＭ６によって処理される。
【０１１４】
メッセージＭ７と共に、パラメータサーバは、要求されたＶｏＬＴＥパラメータ又は少なくともその表示を含む応答を送信する。このような表示は、特に以前のバージョンとの差、パラメータ設定の特定のクラスを示すクラス識別子などである。
【０１１５】
ベースノード２から無線デバイス１は、応答メッセージＭ８と共にＶｏＬＴＥパラメータを受信する。まず、受信されたＶｏＬＴＥパラメータはメッセージＭ９と共に識別ユニット５に転送され、格納される。そうすることによって、無線デバイスは、格納されているＶｏＬＴＥパラメータが最新であることをステップＭ４への応答が示した直後の次の登録イベントにおいてこれらのデータを検索することができる。
【０１１６】
さらに無線デバイスは、メッセージＭ１０が示すＶｏＬＴＥクライアントの設定を行う。その後、ＶｏＬＴＥクライアント、すなわち無線デバイスはＶｏＬＴＥ通話を実行することができる。その結果、その後のセルラネットワーク内の無線デバイスのセッションにおいて、無線デバイスは、ベースノード２へのメッセージＭ１１を使用してＶｏＬＴＥ音声通話を起動する。
【０１１７】
図５は、無線デバイスがローミング状態にある状況を示す、本発明の方法の別の例示的な実施形態をフローチャートで示す。
【０１１８】
無線デバイスがＬＴＥセルラネットワークのｅＮｏｄｅＢにおいて登録を行うステップＳ１から開始する。その後、無線デバイスは前記ｅＮｏｄｅＢにキャンプオンしている。
【０１１９】
登録後の第１のステップＳ２として、無線デバイスは、ｅＮｏｄｅＢがホームセルラネットワークの一部であるかどうかをチェックする。ｅＮｏｄｅＢがホームセルラネットワークの一部である場合、図においてステップＳ３で示す非ローミング処理が実行され得る。
【０１２０】
ｅＮｏｄｅＢのセルラネットワークが、実際、無線デバイス（及びその識別ユニット）のホームセルラネットワークの一部でない場合は、無線デバイスはローミング状態にある。したがって、Ｓ４から始まる以下のステップが実行される。
【０１２１】
まず、訪問先セルラネットワーク用のＶｏＬＴＥパラメータが利用可能かどうかを識別ユニット、すなわちＵＩＣＣに確認する。
【０１２２】
決定ステップＳ５において、ＶｏＬＴＥパラメータが利用可能である場合はステップＳ１３に分岐する。ＶｏＬＴＥパラメータがＵＩＣＣからロードされる場合、ＶｏＬＴＥクライアントはロードされたＶｏＬＴＥパラメータを使用して設定され、その結果、無線デバイスはＶｏＬＴＥを動作させることができる（Ｓ１４）。好ましくは、このステップにおいて、格納されているＶｏＬＴＥパラメータのバージョンが最新であるかどうかがさらにチェックされる。最新でない場合、プロセスフローは、ＶｏＬＴＥパラメータが存在しなかったかのように続く。
【０１２３】
ＶｏＬＴＥパラメータが存在しない場合、ステップＳ５においてステップＳ６に分岐する。すなわち、まずＶｏＬＴＥクライアントを動作不能にする。これは、設定ステップが終了する前にＶｏＬＴＥ通話が着信し、これに応えることができないために拒絶される、又は別の方法、例えば回線交換フォールバック（ＣＳＦＢ）を介して処理される場合に有利である。
【０１２４】
次のステップＳ７では、無線デバイスは、パラメータサーバ、特にＶｏＬＴＥパラメータをロードするためのサービスポイントのアドレスを要求する。特に、そのサービスポイントは、図３に示す遠隔設定サーバ１２である。好ましくは、無線デバイスは、ＵＩＣＣに遠隔設定サーバ、すなわちパラメータサーバのアドレスを要求する。有利には、ＵＩＣＣは、ホームセルラネットワークから後にセルラネットワーク内部のネームサーバによって解決されるＵＲＩ、ＡＰＮ又は識別トークンを使用して事前設定される。
【０１２５】
代替的に、サービスポイントアドレスはまた、セルラネットワークから直接取得することができる。これはＨＳＳに要求可能であることが好ましい。このアドレスを入手できない場合、プロセスフローはステップＳ８においてステップＳ９に分岐し、ここで、ｅＮｏｄｅＢ及び無線デバイスによってサポートされている場合、回線交換フォールバック（ＣＳＦＢ）が起動されることが好ましい。これを入手できない場合、無線デバイスは、少なくともＬＴＥ ＲＡＮの現在のｅＮｏｄｅＢ上で動作していない場合、音声通話を提供する準備ができていない可能性がある。
【０１２６】
ステップＳ８においてアドレスを入手できる場合、プロセスフローは、取得したＶｏＬＴＥ設定サービスポイントのアドレスを使用して、最新のＶｏＬＴＥパラメータセットを求める要求を要求するステップＳ１０に分岐する。特に有利な実施形態では、現在利用可能なＶｏＬＴＥパラメータのバージョンに要求が供給される。これは特に、前のステップにおいて、実際にＶｏＬＴＥパラメータがＵＩＣＣにおいて利用可能であると判断されたが、特にパラメータサーバに実際のバージョンを確認することによって、格納されているＶｏＬＴＥパラメータが古くなっていることが分かる場合に有利である。
【０１２７】
要求が成功し、要求したＶｏＬＴＥパラメータがパラメータサーバにおいて入手可能な場合は、次のステップＳ１１において、要求したＶｏＬＴＥパラメータがパラメータサーバからダウンロードされ、ＵＩＣＣに格納される。そうでない場合、利用可能であれば同様にＣＳＦＢに切り替わることが好ましい。
【０１２８】
その結果、無線デバイスのＶｏＬＴＥクライアントは、ステップＳ１２において、ダウンロードしたＶｏＬＴＥパラメータを使用して設定される。そして最終的に、ＶｏＬＴＥクライアントは起動することができ、したがって、ＶｏＬＴＥ通話が着信する、又は無線デバイス自体によって起動される場合、無線デバイスはＶｏＬＴＥで動作する状態になる（Ｓ１４）。好ましくは、ＶｏＬＴＥを動作できることは無線デバイスのアプリケーションプロセッサに示され、したがって、例えば無線デバイスのユーザインターフェースに示すことができる。
【０１２９】
これらの例示的な実施形態は、本発明の方法及び実施形態を使用して可能ないくつかの必須の動作を示す。ホームセルラネットワーク及び訪問先セルラネットワークで動作する無線デバイスの両方の状況について、利用可能などの場所でもＶｏＬＴＥで動作できるように、無線デバイスをシームレスに設定する手段が想定されることを示す。
【０１３０】
以上の詳細な説明において、本発明が実施され得る特定の実施形態を例示する添付の図面に参照がなされる。これらの実施形態は、当業者が本発明を実施し得るために十分に詳細に記載されている。本発明の様々な実施形態は、相互に相違があるが、必ずしも相互に排他的である必要性は無いことが理解される。例えば、１つの実施形態に関連して本願明細書において記載されている特定の特徴、構成又は特性は、本発明の範囲から逸脱すること無く、他の実施形態の範囲内で実施され得る。加えて、開示された各実施形態の個々の要素の位置又は配列は、本発明の範囲から逸脱することなく修正され得ることが理解される。従って、以上の詳細な説明は、本発明を限定するようには解釈されず、本発明の範囲は添付の特許請求の範囲によってのみ確定され、特許請求の範囲が権利を与える均等物の全範囲と共に適切に解釈される。
【図１】
0006549325.tif 000002
【図２】
0006549325.tif 000003
【図３】
0006549325.tif 000004
【図４】
0006549325.tif 000005
【図５】
0006549325.tif 000006